(57)【特許請求の範囲】
【請求項１】
パソコンなどの情報処理装置を用いて個別検査に利用し易いように変状を管理するコンクリート表面の変状管理方法にであって、
コンクリート表面を撮像した原画像に補正とノイズ除去の処理を施して前処理済画像を形成する工程、
前記前処理済画像から画像処理によって変状を抽出し座標値をメモリに格納する工程、
異なるサイズのグリッドで前処理済画像から、複数レイヤのグリッド化画像を形成し、前記グリッドと前記座標値を対応づける工程、
指定された個別検査に必要とされるグリッド情報となるように、個別検査の種類と変状の種類とグリッドサイズの３つの間を関係づける工程、及び、
指定された個別検査に必要とされるグリッド情報を出力する工程からなるコンクリート表面の変状管理方法。
【請求項２】
前記複数の異なるレイヤのグリッドのサイズは階層化されたものであることを特徴とする請求項１に記載のコンクリート表面の変状管理方法。
【請求項３】
前記複数の異なるレイヤは少なくとも３つであることを特徴とする請求項２に記載のコンクリート表面の変状管理方法。
【請求項４】
前記複数の異なるレイヤの最下層のレイヤは、そのグリッドが個別検査の最小分解能に対応したサイズであることを特徴とする請求項２又は３に記載のコンクリート表面の変状管理方法。
【請求項５】
変状が位置するグリッドは重要度に応じてランク分けされる工程を更に含むことを特徴とする請求項１に記載のコンクリート表面の変状管理方法。
【請求項６】
前記変状が位置するグリッドのランク付けは、ひび割れ率を算出して行われることを特徴とする請求項５に記載のコンクリート表面の変状管理方法。
【請求項７】
前記ひび割れ率は、重み付きひび割れ率であって、ひび割れの発生部位やひび割れ同士の隣接度合を反映した係数を含む算定式を用いて算出されることを特徴とする請求項６に記載のコンクリート表面の変状管理方法。
【発明の詳細な説明】
【技術分野】
【０００１】
本発明はトンネル壁面等のコンクリート構造物の表面の撮影画像に画像処理を施してひび割れ、エフロレッセンス、漏水などの変状を検出するコンクリート表面変状検出装置が出力する変状情報を、前記コンクリート表面変状検出装置若しくはパソコンなどの情報処理装置を用いて個別検査に利用し易いように管理するコンクリート表面の変状管理方法に関する。
【背景技術】
【０００２】
トンネル壁面等のコンクリート表面の撮影画像に画像処理を施してひび割れ、エフロレッセンス、漏水などの変状を検出するコンクリート表面の変状検出装置は、特許文献１〜６に示すように、様々な方式のものが開発されている。コンクリート表面の変状検出装置が出力する変状情報は、診断個所を特定する情報として利用されている。現場点検作業者は変状情報によって特定されたコンクリート表面の診断個所をハンマーで叩いて、打音診断により個別検査を行う。
【０００３】
また、コンクリート表面変状検出装置が出力する変状情報は、非接触的検査手法を用いたコンクリート内部欠陥診断システムに入力され、コンクリート表面の診断個所の特定のために利用される。非接触的検査手法を用いたコンクリート内部欠陥診断システムは、入力された変状情報に基づいてコンクリート表面の診断個所を特定し、当該診断個所に電波、超音波、或いはレーザを照射して、コンクリート内部の欠陥の有無を探査し、更には欠陥の大きさを探査する。これが非接触的検査手法を用いたコンクリート内部欠陥診断システムの個別検査であり、従来の打音診断による個別検査に代わる定量的な手法として極めて有効な検査方法である。
【０００４】
非接触的診断手法はコンクリート表面の診断個所の位置をmmオーダーで把握している必要は必ずしもない。非接触的検査手法を用いたコンクリート内部欠陥診断システムに必要とされる処理分解能に比べて、画像抽出の精度のほうが十分に高いからである。逆に、真値以外のノイズが含まれる可能性が高まるので、ノイズの影響を受け易くするほうが、作業効率や実用性の面でマイナスになる。
【０００５】
ところで、トンネル壁面等のコンクリート表面の撮影画像に画像処理を施してひび割れ、エフロレッセンス、漏水などの変状を検出するコンクリート表面変状検出装置において、画像処理で抽出された変状は、撮影画像上の座標で特定され、メモリに記憶される。そして、コンクリート表面変状検出装置が出力する変状情報も座標で特定されるものである。このため、このような座標で特定された変状情報は、現場点検作業者にとっては極めて利用し難いものであった。また、非接触的検査手法を用いたコンクリート内部欠陥診断システムにおいても、座標で特定された変状情報は利用し難いものである。個別検査の対象個所は点ではなく、或る大きさの領域であるからである。
【０００６】
また、トンネル壁面等のコンクリート表面の撮影画像に画像処理を施してひび割れ、エフロレッセンス、漏水などの変状を検出するコンクリート表面変状検出装置は、大掛かりな装置を必要とせず且つ処理し易いので極めて実用的である。しかしながら、抽出精度には限界がある。例えば、トンネル壁面を一例とする漏水領域などの変状領域の検出方法においては、トンネル壁面を撮像した元画像からケーブルなどの壁面添架物を取り除き、当該領域周辺の背景柄で補完する処理（以後、インペインティング処理と呼ぶ。）を施し、壁面添架物の全くないトンネル壁面画像、即ち不要物を取り除いたトンネル壁面画像を生成する前処理工程が含まれる。このような前処理工程におけるインペインティング処理で、みなし補完した部位は情報が欠落した状態であり、ひび割れなどの変状抽出が不十分となる可能性、及び抽出された変状が途切れなどにより不十分な状態で抽出される可能性がある。また、このような前処理工程では、ノイズは完全には除去できない。これは処理の限界である。従って、トンネル壁面等のコンクリート表面の撮影画像から画像処理によって変状を抽出するコンクリート表面変状検出装置において、処理の限界を補完して、個別検査の対象領域を適切に特定できることが求められている。
【先行技術文献】
【特許文献】
【０００７】
【特許文献１】特開2006−2417号公報
【特許文献２】特許第4279159号公報
【特許文献３】特許第4006007号公報
【特許文献４】特許第4186117号公報
【特許文献５】特許第4488308号公報
【特許文献６】特許第4292095号公報
【発明の概要】
【発明が解決しようとする課題】
【０００８】
本発明が解決しようとする第1の課題は、コンクリート表面の変状を個別検査に対応した適切な変状情報として提供できるコンクリート表面の変状管理方法を提供することである。
本発明が解決しようとする第２の課題は、コンクリート表面の各種変状を画像処理によって抽出する変状検出装置の処理の限界を補完して、個別検査の対象領域を適切に特定できるコンクリート表面の変状管理方法を提供することである。
本発明が解決しようとする第３の課題は、画像処理によって抽出されたコンクリート表面のひび割れ率を簡単且つ確実に算出できるコンクリート表面の変状管理方法を提供することである。
【課題を解決するための手段】
【０００９】
本発明の課題を解決するコンクリート表面の変状管理方法は、パソコンなどの情報処理装置を用いて個別検査に利用し易いように変状を管理する方法にであって、
コンクリート表面を撮像した原画像に補正とノイズ除去の処理を施して前処理済画像を形成する工程、前記前処理済画像から画像処理によって変状を抽出し座標値をメモリに格納する工程、異なるサイズのグリッドで前処理済画像から複数レイヤのグリッド化画像を形成し、前記グリッドと前記座標値を対応づける工程、指定した個別検査に必要とされるグリッド情報となるように、個別検査の種類と変状の種類とグリッドサイズの３つの間を関係づける工程、及び、指定した個別検査に必要とされるグリッド情報を出力する工程からなる。
本明細書で、グリッドとは撮影画像を縦横の線で小矩形に分割した区画のことであり、前記縦横の線はグリッド線、グリッド線で分割された撮影画像はグリッド化画像である。
【発明の効果】
【００１０】
本発明においては、異なるレイヤのグリッドで変状を管理しているので、コンクリート表面に変状が位置する箇所を、座標値でなく最適なサイズのグリッドで特定できるようになり、コンクリート構造体の個別検査が必要とする精度や種類の変状情報を適切に提供できるようになった。
また、本発明においては、グリッド化して領域として検査対象箇所を指示するので、画像処理により抽出されなかった変状部分を補完し、又は前処理工程におけるインペインティング処理でみなし補完した部位に対しては情報が欠落した状態を補完することができ、より確実な変状抽出が可能になった。
また、抽出された変状にノイズが含まれる場合でもグリッド化された単位領域に対してグリッド内でのノイズと変状のそれぞれの占有率に応じて個別検査の対象とするか否かを判定することにより、抽出された変状が途切れなどにより不十分な状態で抽出された場合でもグリッド化された単位領域に対してグリッド内の変状占有率に応じて個別検査の対象とするか否かを判定することにより、いずれの場合も変状占有率に基づいて有意な情報の出力が得られるようになった。
更にまた、本発明により、画像処理によって抽出されたコンクリート表面のひび割れ率を簡単且つ確実に算出できるようになった。
【図面の簡単な説明】
【００１１】
【図１】コンクリート表面の変状管理方法の処理の流れを示すフローチャートである。
【図２】変状をグリッド内での占有率で重要度を判定する処理の流れを示すフローチャートである。
【図３】重み付きひび割れ密度を求める処理の流れを示すフローチャートである。
【図４】コンクリート表面を撮影した原画像である。
【図５】原画像に補正とノイズ除去の前処理を施した前処理済画像をグリッドで分割したグリッド化画像である。
【図６】変状が位置するグリッドを背景と区別できるようにして示したコンクリート表面のグリッド化画像である。
【図７】重み付きひび割れ密度の或るランクの領域に対して、一回り拡張して検査領域とするように指示することが可能であることを示したコンクリート表面のグリッド化画像の模式図である。
【図８】検査対象領域に＋符号を付けて示したコンクリート表面のグリッド化画像である。
【発明を実施するための形態】
【００１２】
本発明はパソコンなどの情報処理装置を用いて個別検査に利用し易いように変状を管理する方法にであって、コンクリート表面を撮像した原画像に補正とノイズ除去の処理を施して前処理済画像を形成する工程、並びに前処理済画像から画像処理によって変状を抽出し座標値をメモリに格納する工程、異なるサイズのグリッドで前処理済画像から複数レイヤのグリッド化画像を形成し、前記グリッドと前記座標値を対応づける工程、指定したレイヤで変状が位置するグリッドを有意状態にする工程、及び、個別検査に対してグリッド有意情報を出力する工程からなる
【実施例】
【００１３】
本発明の実施例１のコンクリート表面の変状管理は、パソコンを用いて行われている。パソコンは、ＣＰＵ、メモリ、入力部、出力部及び液晶モニタで構成された汎用のコンピュータである。
【００１４】
図１は、本発明の実施例１のコンクリート表面の変状管理の流れの一例を示すフローチャートで、コンクリート表面を撮像した原画像を取得する工程Ｓ１、原画像から前処理済画像を形成する工程Ｓ２、前処理済画像から変状を抽出し変状毎に座標値をメモリに格納する工程Ｓ３、個別検査の精度に応じた最小分解能を設定する工程Ｓ４、前処理済画像を最小グリッド単位で分割した第１レイヤのグリッド化画像を形成する工程Ｓ５、例えば1cm、5cm及び10cm四方のサイズの異なるグリッドをレイヤで管理する工程Ｓ６、非検査対象とするグリッドを予め設定してマスクする工程Ｓ７、指定したグリッドレイヤで変状が位置するグリッドを有意な状態にする工程Ｓ８、現在のグリッドの有意状態でよいかを判定する工程Ｓ９及び個別検査に対してグリッド有意情報を出力する工程Ｓ１０で構成されている。
【００１５】
工程Ｓ１は、例えばトンネル壁面等のコンクリート構造物のコンクリート表面の撮影画像である原画像をパソコンに入力し、メモリに格納する工程である。原画像は、例えば２５６階調のグレイスケール画像である。
【００１６】
工程Ｓ２では、ＣＰＵはメモリから読み出した原画像に補正とノイズ除去の前処理を施して前処理済画像を形成する。そして、ＣＰＵは形成された前処理済画像をメモリに格納する。前処理は、例えば、シェーディングによる照度ムラの補正を行う工程、周波数解析によって原画像から型枠などの周期的な線分の除去を行う工程、周波数解析によって原画像から斑点状のムラの除去を行う工程、及び周波数解析によって原画像から汚れの除去を行う工程を含む処理である。前記周波数解析は、原画像にFFTフィルターをかける画像処理である。FFTフィルターのパラメータは除去対象に応じて最適な値に選ばれる。また、前処理には、例えば、トンネル壁面を撮像した元画像からケーブルなどの壁面添架物を取り除き、取り除いた壁面添架物の領域をインペインティング処理し、壁面添架物の全くないトンネル壁面画像、即ち不要物を取り除いたトンネル壁面画像を生成する工程を含むものもある。
【００１７】
工程Ｓ３では、ＣＰＵはメモリから原画像を読み出して、コンクリート表面のひび割れ、エフロレッセンス、漏水などの変状を画像処理によって抽出し、変状毎の座標値をメモリに記憶する。
【００１８】
工程Ｓ４では、個別検査の最小分解能として例えば1cm×1cmがパソコンに設定され、メモリに記憶される。非接触的検査手法を用いたコンクリート内部欠陥診断システムの個別検査における最小分解能は通常は1cm×1cmであるからである。なお、打音診断の個別検査においては概ね10cm×10cmである。打音診断は、ハンマーを手にして検査員がトンネル覆工面をたたいて、静音（健全）濁音（異常）を聞き分けながら、通常10cm×10cm程度のピッチで行われているからである。
【００１９】
工程Ｓ５では、ＣＰＵはメモリから前処理済画像を読み出して、前記最小分解能に対応したサイズとして例えば1cm×1cmのグリッドで分割する。ここでは、非接触的検査手法を用いたコンクリート内部欠陥診断システムの個別検査における最小分解能1cm×1cmに対応したサイズ1cm四方のグリッドを採用しているが、この値に限定されるものではない。
【００２０】
工程Ｓ６では、パソコンは階層化した複数のグリッドサイズ、例えば1cm、5cm及び10cm四方のサイズの異なるグリッドをレイヤで管理する。即ち、1cm四方のサイズのグリッドを第１レイヤのグリッド、5cm四方のサイズのグリッドを第２レイヤのグリッド、10cm四方のサイズのグリッドを第３レイヤのグリッドとし、第２レイヤのグリッドは第１レイヤのグリッドの５倍、第３レイヤのグリッドは第１レイヤのグリッドの１０倍とピラミッド状に階層化したグリッドのサイズをメモリに記憶する。前処理済画像を1cm、5cm及び10cm四方のサイズの異なるグリッドでそれぞれ分割されたグリッド化画像は、第１レイヤのグリッド化画像、第２レイヤのグリッド化画像及び第３レイヤのグリッド化画像となる。
【００２１】
１００万画素で構成されている1ｍ×1ｍのコンクリート表面の前処理済画像については、第１レイヤのグリッド化画像は１００００個、第２レイヤのグリッド化画像は４００個、及び第３レイヤのグリッド化画像は１００個のグリッドで構成される。このように、階層化した異なる複数のグリッドを設定することによって、座標値でメモリに記憶されている各種変状を、複数のグリッドと対応付けることができる。従って、１００万個の画素には座標値の他にグリッド情報が付与される。グリッド情報とは当該画素が属するグリッドレイヤ番号である。例えば、座標値（ｘ1，ｙ1）の画素は第１レイヤの１番目のグリッド、第２レイヤの１番目のグリッド、第３レイヤの１番目のグリッドに属し、座標値（ｘ6，ｙ1）の画素は第１レイヤの２番目のグリッド、第２レイヤの１番目のグリッド、第３レイヤの１番目のグリッドに属し、座標値（ｘ11，ｙ1）の画素は第１レイヤの３番目のグリッド、第２レイヤの２番目のグリッド、第３レイヤの１番目のグリッドに属し、座標値（ｘ16，ｙ1）の画素は第１レイヤの４番目のグリッド、第２レイヤの２番目のグリッド、第３レイヤの１番目のグリッドに属する。要するに、本発明においては、住所を番地−町名−市名−県名で表すように、各画素は例えば（ｘｍ，ｙｎ）−Ｐ−Ｑ−Ｒの如く表してメモリに記憶される。但し、Ｐ、Ｑ、Ｒはグリッド情報で、Ｐは第１レイヤの１から１０００までのグリッド番号、Ｑは第２レイヤの１から４００までのグリッド番号、Ｒは第３レイヤの１から１００までのグリッド番号である。
【００２２】
工程Ｓ７では、ＣＰＵは非検査対象となるグリッドを予め設定し、これらのグリッドをマスクする。非検査対象となるグリッドは、変状が存在しないグリッドと既に変状対策が済んでいる箇所のグリッドである。なお、トンネル壁面に存在するケーブルや蛍光灯などの添架物は変状ではないが、これら添加物が位置するグリッドも原則として予め非検査対象となるグリッドとして予め設定される。このように、非検査対象となるグリッドをマスクすることで、個別検査のために出力されるコンクリート表面のグリッド化画像は、変状をより明確に表示したものとなる。
【００２３】
工程Ｓ８では、ＣＰＵは個別検査に必要とされるグリッド情報となるように、個別検査の種類と変状の種類とグリッドサイズの３つの間を関係づける処理を行う。個別検査が打音検査であれば、最小分解能は例えば10cm四方でよいので、全ての変状を原則として第３レイヤのグリッドで特定することになる。非接触的検査手法を用いたコンクリート内部欠陥診断システムの個別検査では、最小分解能は例えば1cm×1cmであるから、原則として第１レイヤのグリッドで全ての変状を特定することになる。このように、個別検査の種類と変状の種類との間には原則的に結びつく関係があるので、この原則的な結びつき関係を特定するのが工程Ｓ８である。このような結びつき関係は有意な状態である。工程Ｓ８の処理の結果はメモリに記憶される。
【００２４】
工程Ｓ９では、変状の種類と変状の状態によって、原則的なグリッドサイズでよいか否かを変状管理の担当者が表示されたグリッド化画像をモニタしながら、判定する工程である。コンクリート表面がトンネル壁面である場合、変状が側壁部と天頂部のいずれのコンクリート壁面に存在するかによっても、グリッドサイズは異なるので、変状が存在するコンクリート壁面の場所も考慮される。個別検査が打音検査であれば、第３レイヤのグリッド化画像が表示されるが、例えば変状がひび割れであって且つひび割れ密度が大きい場合には、更に詳細に検査する必要があると判定するであろう。また、原則として第１レイヤのグリッドで全ての変状が特定される非接触的検査手法を用いたコンクリート内部欠陥診断システムの個別検査であっても、変状が漏水の場合には第２レイヤのグリッド情報でも十分な場合がある。このような場合、工程Ｓ９の判定結果がＮＯであるから、当該担当者は処理の流れを工程Ｓ８に戻す操作を行う。工程Ｓ９の判定結果がＹＥＳであれば、次の工程Ｓ１０に進む。
【００２５】
工程Ｓ１０は、変状管理の担当者が個別検査に必要なグリッド情報、即ちグリッド有意情報を出力する処理である。当該担当者が打音検査を指定すれば、モニタ画面には第３レイヤのグリッド化画像が表示される。当該担当者が打音検査と変状としてひび割れを指定すれば、モニタ画面には第２レイヤのグリッド化画像が表示される。当該担当者が非接触的検査手法を用いたコンクリート内部欠陥診断システムを指定すれば、モニタ画面には第１レイヤのグリッド化画像が表示される。当該担当者が非接触的検査手法を用いたコンクリート内部欠陥診断システムと変状として漏水を指定すれば、モニタ画面には第１レイヤのグリッド化画像が表示される。モニタ画面に表示されたグリッド化画像は、例えば図８の如きもので、検査対象領域に＋符号を付けて示したコンクリート表面のグリッド化画像である。
【００２６】
ところで、変状占有率とひび割れ密度は、個別検査が必要とするグリッド有意情報を特定する上で重要な要素である。以下、変状の占有率とひび割れ密度の算出方法について説明する。
【００２７】
（変状占有率）
１個のグリッド内には変状だけでなく、ノイズが含まれる場合がある。この場合、変状か否かを、当該グリッド内の変状占有率で判定する。変状占有率は、図２のフローチャートに従って算出される。先ず、ＣＰＵは変状とノイズが含まれるグリッドを特定し、グリッド単位で変状を読み出す（Ｓ８１１）。次に、ＣＰＵはグリッド単位で変状の占有率を算出する（Ｓ８１２）。変状の占有率は、当該グリッド内の変状が占める面積とノイズが占める面積を用いて算出される。続いて、ＣＰＵは変状の占有率を閾値処理する（Ｓ８１３）。そして、閾値処理の結果、変状の占有率が閾値を超えていれば、当該グリッドは個別検査の対象とし（Ｓ８１４）、超えていなければノイズと判定して個別検査の対象とはしない（Ｓ８１５）。
【００２８】
１個のグリッド内に複数の変状が含まれる場合もある。このような場合、上述の変状の占有率の考え方で、占有率の高い変状を当該グリッドに含まれる変状とする。或いは、占有率ではなく、経験則で定まる優先順位で決めることもある。例えばひび割れと漏水の２つの変状が１つのグリッドに含まれている場合、当該グリッドに含まれるのはひび割れであると判定するのである。
【００２９】
図２のフローチャートから理解される通り、本発明においては、抽出された変状にノイズが含まれる場合でもグリッド化された単位領域に対してグリッド内でのノイズと変状のそれぞれの占有率に応じて個別検査の対象とするか否かを判定することにより、抽出された変状が途切れなどにより不十分な状態で抽出された場合でもグリッド化された単位領域に対してグリッド内の変状占有率に応じて個別検査の対象とするか否かを判定することにより、変状占有率に基づいて有意な情報の出力が得られるのである。
【００３０】
（重み付きひび割れ密度）
ひび割れ密度は、ひび割れ幅やひび割れ長さと共に、トンネル健全度を診断する上で重要な指標となっている。そこで、トンネル覆工面の撮影画像を縦横のグリッド線で小矩形に分割してグリッド化し、数式１で定義する重み付きひび割れ密度Σを算出するようにした。
【００３１】
【数１】
0005894013.tif 000002
但し、Ｌは対象範囲内に存在するひび割れの長さ、Ｓは対象範囲の面積である。また、αは係数で、ひび割れの発生部位やひび割れ同士の隣接度合に応じて0.0＜α＜1.0の値をとる。αが大きいほど重み（乗率）が増え、要注意度が上がることを意味する。このように、係数αを含む数式1で算出されるひび割れ密度を、重み付きひび割れ密度と定義する。
【００３２】
重み付きひび割れ密度Σの算出とひび割れの評価の処理は，図３のフローチャートに従って行われる。先ず、ＣＰＵはひび割れが存在する対象範囲内のひび割れの長さLを算出し、メモリに記憶する（Ｓ８２１）。対象範囲は、一般に図６や図７に示す如く隣り合うn個のグリッドで構成されている。従って、ひび割れの長さLはグリッド毎のひび割れ長さLnを算出し、これを合計して求められる。グリッド毎のひび割れ長さLnは、例えば当該グリッドを構成する画素を利用すれば容易に求められる。
【００３３】
続いてＣＰＵは、対象領域の面積を算出し、メモリに記憶する（Ｓ８２２）。対象範囲はn個のグリッドで構成されている。従って、対象領域の面積は、ｎ個のグリッドの面積の合計である。そして、各グリッドの面積はこれを構成する画素の面積から容易に求められる。
【００３４】
続いてＣＰＵは、メモリからひび割れの長さL、対象範囲の面積S及び係数αを読み出して、数式１の演算を行って、ひび割れ密度Σを算出し、メモリに記憶する（Ｓ８２３）。
【００３５】
続いてＣＰＵはメモリから重み付きひび割れ密度Σを読み出し、上限閾値として例えば１平方メートル当たり2.0メートルを超えているか否かを判定する（Ｓ８２４）。判定の結果がＹＥＳなら、当該ひび割れはＡランクのひび割れと判定する（Ｓ８２５）。判定の結果がＮＯならば次の工程（Ｓ８２６）に進む。
【００３６】
工程Ｓ８２６では、ＣＰＵは重み付きひび割れ密度Σが下限閾値として例えば１平方メートル当たり2.0メートルを下回っているか否かを判定する。判定の結果がＹＥＳなら、当該ひび割れはＣランクのひび割れと判定する（Ｓ８２８）。判定の結果がＮＯならば、当該ひび割れは前記上限閾値として例えば１平方メートル当たり5.0メートル以下で且つ前記下限閾値として例えば１平方メートル当たり2.0メートル以上であるから、これをＢランクのひび割れと判定する（Ｓ８２７）。
【００３７】
上述の如く、重み付きひび割れ密度Σは、変状を含む検査対象範囲をグリッドで特定し、グリッドを利用することにより簡単確実に算出できる。そして、重み付きひび割れ密度Σは閾値処理によってＡ，Ｂ，Ｃの３つにランク付けられる。重み付きひび割れ密度ΣがＡランクと判定された場合は更に詳細にひび割れの度合いを調べることもできる。例えば、グリッドサイズが第３レイヤであれば第２レイヤのグリッドサイズに変更して、重み付きひび割れ密度Σを改めて算出する。このようにすることで、検査対象個所を適切に絞り込むことができる。
【００３８】
また、重み付きひび割れ密度ΣがＡランクと判定された場合は、速やかに対策を施す必要のある箇所であるＡランクのグリッドの周辺を、例えば一回り拡張して検査領域とするように指示することが可能である。図７の例では、略Ｓ字状のひび割れが存在する１５個のグリッドで構成されたひび割れ存在領域がＡランクであるとすると、前記ひび割れ存在領域を構成する１５個のグリッドから上下±３個のグリッドで構成された領域並びに前記ひび割れ存在領域を構成する１５個のグリッドから左右±３個のグリッドで構成された領域まで拡張して検査領域とするように指示することが可能である。
【００３９】
このように、ひび割れが存在する対象範囲を重み付きひび割れ密度Σを算出して重要度に応じてＡ，Ｂ，Ｃの３つにランク付けすることによって、個別検査に対するグリッド有意情報を適切に出力することができる。即ち、ランクに応じて色分けして表示することで点検作業者にひび割れ状況を分かりやすく情報を伝えることができる。また、Ｃランクの領域は周辺への拡張を行わないが、Ｂランクの周辺はＡランクに準じて少しだけ一回り拡張して検査領域とするなど、作業精度の向上と作業時間の短縮を図ることができるようになった。本発明において、ひび割れ率は重み付きひび割れ率であって、ひび割れの発生部位やひび割れ同士の隣接度合を反映した係数を含む算定式を用いて算出されることを特徴とするものであり、これによって個別検査に対するグリッド有意情報がより高い精度となるのである。
【図１】
0005894013.tif 000003
【図２】
0005894013.tif 000004
【図３】
0005894013.tif 000005
【図４】
0005894013.tif 000006
【図５】
0005894013.tif 000007
【図６】
0005894013.tif 000008
【図７】
0005894013.tif 000009
【図８】
0005894013.tif 000010